(57)【特許請求の範囲】
【請求項１】
操舵シャフトのトルクを測定するセンサにおいて、
頂部分（１４０）と、底部分（１４５）と、外側部分（１５５）とを有するリング磁石（１１５）と、
第一の固定子（１２０）であって、
前記リング磁石（１１５）の外側部分（１５５）を包む第一の水平方向リング部分（１６０）と、
該第一の水平方向リング部分（１６０）から伸び、かつ前記リング磁石（１１５）の底部分（１４５）に近接する複数の第一の歯（１６５）とを含む、前記第一の固定子（１２０）と、
第二の固定子（１２５）であって、
前記リング磁石（１１５）の外側部分（１５５）を包む第二の水平方向リング部分（１８０）と、
該第二の水平方向リング部分（１８０）から伸び、かつ前記リング磁石（１１５）の底部分（１４５）に近接する複数の第二の歯（１８５）とを含む、前記第二の固定子（１２５）と、
前記第一の水平方向リング部分（１６０）に近接する位置に配置された第一のコレクタ（１３０）と、
前記第二の水平方向リング部分（１８０）に近接する位置に配置された第二のコレクタ（１３５）と、
前記第一のコレクタ（１３０）及び前記第二のコレクタ（１３５）と磁気的に結合された磁気感知要素（１９０、１９５）とを備える、操舵シャフトのトルクを測定するセンサ。
【請求項２】
請求項１に記載のセンサにおいて、
前記複数の第一の歯（１６５）及び前記複数の第二の歯（１８５）は、前記リング磁石（１１５）の底部分（１４５）から約０．２ｍｍから２．０ｍｍの位置に配置される、センサ。
【請求項３】
請求項１に記載のセンサにおいて、
前記複数の第一の歯（１６５）及び前記複数の第二の歯（１８５）における歯の数は、磁石（１１５）の極数に依存する、センサ。
【請求項４】
請求項１に記載のセンサにおいて、
前記磁石（１１５）と前記第一の固定子（１２０）及び前記第二の固定子（１２５）との間の第一の角度変位の結果、第一の磁束（３００）となり、
また、前記磁石（１１５）と前記第一の固定子（１２０）及び前記第二の固定子（１２５）との間の第二の角度変位の結果、第二の磁束（３００）となる、センサ。
【請求項５】
請求項４に記載のセンサにおいて、
前記第一の角度変位は、前記第二の角度変位と反対方向である、センサ
【請求項６】
請求項４に記載のセンサにおいて、前記第一の磁束（３００）は、リング磁石（１１５）から複数の第一の歯（１６５）、第一の水平方向リング部分（１６０）、第一のコレクタ（１３０）、第二のコレクタ（１３５）、第二の水平方向リング部分（１８０）及び複数の第二の歯（１８５）を通って流れて、前記リング磁石（１１５）に戻る、センサ。
【請求項７】
請求項５に記載のセンサにおいて、
前記第二の磁束（３００）は、リング磁石（１１５）から複数の第二の歯（１８５）、第二の水平方向リング部分（１８０）、第二のコレクタ（１３５）、第一のコレクタ（１３０）、第一の水平方向リング部分（１６０）及び複数の第一の歯（１６５）を通って流れて、前記リング磁石（１１５）に戻る、センサ。
【請求項８】
請求項１に記載のセンサにおいて、
零角度変位の結果、零磁束となる、センサ。
【請求項９】
請求項１に記載のセンサにおいて、
前記リング磁石（１１５）は、軸方向磁束を有する、センサ。
【請求項１０】
操舵シャフトのトルクを測定する方法において、
軸方向磁束と、外側部分（１５５）と、底部分（１４５）とを有するリング磁石（１１５）を提供するステップと、
第一の固定子（１２０）であって、
前記リング磁石（１１５）の外側部分（１５５）を取り囲む第一の固定子（１２０）リングと、
該第一の固定子（１２０）リングから伸び、かつ前記リング磁石（１１５）の底部分（１４５）に近接する複数の第一の歯（１６５）とを含む、前記第一の固定子（１２０）を提供するステップと、
第二の固定子（１２５）であって、
前記リング磁石（１１５）の外側部分（１５５）を取り囲む第二の固定子（１２５）リングと、
該第二の固定子（１２５）リングから伸び、かつ前記リング磁石（１１５）の底部分（１４５）に近接する複数の第二の歯（１８５）とを含む、前記第二の固定子（１２５）を提供するステップと、
前記第一の固定子（１２０）リングに近接する位置に配置された第一のコレクタ（１３０）を提供するステップと、
前記第二の固定子（１２５）リングに近接する位置に配置された第二のコレクタ（１３５）を提供するステップと、
前記第一の固定子（１２０）、前記第二の固定子（１２５）、第一のコレクタ（１３０）及び前記第二のコレクタ（１３５）を通って流れる軸方向磁束を感知するステップとを備える、操舵シャフトのトルクを測定する方法。
【請求項１１】
請求項１０に記載の方法において、
前記リング磁石（１１５）と前記第一の固定子（１２０）及び前記第二の固定子（１２５）との間の零角度変位の結果、零軸方向磁束となる、方法。
れている。
【発明の詳細な説明】
【技術分野】
【０００１】
［０００１］  本発明は、トルクセンサに関する。より具体的には、最も一般的に、自動車の操舵装置にて一組のシャフトの間のトーションバーにおけるトルク角度を測定する形態とされたトルクセンサに関する。
【背景技術】
【０００２】
［０００２］  トルクは、入力シャフトと、出力シャフトと、これらの二つのシャフトを接続する順応性シャフト、すなわち、トーションバーとを有する装置にて測定することができる。磁気センサは、二つのシャフトの接続面に装着し又は配置される。該センサは、磁石と、一対の固定子と、一対のコレクタと、１つ又は複数の磁気感知要素とを含むことができる。トーションバーは、既知のばね定数、すなわち捩れ剛性を有している。入力シャフトの出力シャフトに対する回転動作は、これら二つのシャフトの間にて相対的な角度変位を生じさせる。角度変位は、入力シャフトに加わるトルク（操舵ハンドルを回す人間により加えられるもののような）に比例する。次に、既知の磁気原理を使用して角度変位を測定する。
【発明の概要】
【発明が解決しようとする課題】
【０００３】
［０００３］  トルク角度センサは、一般に既知であるが、これらは、完全に満足し得るものではない。多数の型式のものにおいて、トルク角度センサは、大型であり、かつ軸方向に寸法が過大である。これは、磁石が通常、半径方向磁束を有する磁石であることが理由である。通常の型式のものにおいて、半径方向磁石（トーションバーの第一の端部に装着されている）は、固定子組立体（トーションバーの第二の端部に装着されている）内にて回転する。該固定子組立体は、通常、固定子リングと、複数の歯とを有する二つの固定子を含む。該歯は、固定子リングから９０°角度にて軸方向に伸び、かつ半径方向磁石を取り囲んでいる。トーションバーにトルクが加わったとき、該磁石は、固定子組立体に対して回転し、このため、二つの固定子の間にて変化する磁界を形成する。該磁界は、二つのコレクタにより検出され、磁気センサ要素にて集中され、該磁気センサ要素は、磁界の情報を電気信号に変換する。
【課題を解決するための手段】
【０００４】
［０００４］  本発明の１つの実施の形態において、トルク角度を測定するセンサが提供される。１つの特別な実施の形態において、該センサは、磁石と、第一の固定子と、第二の固定子と、第一のコレクタと、第二のコレクタと、磁気感知要素とを含む。該第一の固定子は、第一の平面上に配置された第一の水平方向リング部分と、該第一の水平方向リング部分から伸びた複数の第一の歯とを含む。該第一の複数の歯は、第二の平面上に配置されている。該第二の固定子は、第二の平面上に配置された第二の水平方向リング部分と、該第二の水平方向リング部分から伸びた複数の第二の歯とを含む。該複数の第二の歯は、第二の平面上に配置されている。第一のコレクタは、第一の水平方向リング部分に近接する位置に配置され、また、第二のコレクタは、第二の水平方向リング部分に近接する位置に配置されている。磁気感知要素は、第一のコレクタ及び第二のコレクタと磁気的に結合されている。
【０００５】
［０００５］  別の実施の形態において、本発明は、操舵シャフトのトルクを測定するセンサを提供する。１つの特別な実施の形態において、該センサは、リング磁石と、第一の固定子と、第二の固定子と、第一のコレクタと、第二のコレクタと、磁気感知要素とを含む。リング磁石は、頂部分と、底部分と、外側部分とを含む。第一の固定子は、リング磁石の外側部分を取り囲む第一の水平方向リングと、該第一の水平方向リング部分から伸びた複数の第一の歯とを含む。該複数の歯は、リング磁石の底部分に近接している。第二の固定子は、リング磁石の外側部分を包む第二の水平方向リング部分と、第二の水平方向リング部分から伸びた複数の第二の歯とを含む。該複数の第二の歯は、リング磁石の底部分に近接している。第一のコレクタは、第一の水平方向リング部分に近接する位置に配置され、また、第二のコレクタは、第二の水平方向リング部分に近接する位置に配置されている。磁気感知要素は、第一のコレクタ及び第二のコレクタと磁気的に結合されている。
【０００６】
［０００６］  別の実施の形態において、本発明は、操舵シャフトのトルクを測定する方法を提供する。該方法は、軸方向磁束と、外側部分と、底部分とを有するリング磁石を提供するステップを含む。該方法は、リング磁石の外側部分を取り囲む第一の固定子リングと、該第一の固定子リングから伸びて、かつリング磁石の底部分に近接した複数の第一の歯とを有する第一の固定子を提供するステップを更に含む。該方法は、リング磁石の外側部分を取り囲む第二の固定子リングと、該第二の固定子リングから伸びて、かつリング磁石の底部分に近接した複数の第二の歯とを有する第二の固定子を提供するステップを更に含む。該方法は、第一の固定子リングに近接する位置に配置された第一のコレクタを提供するステップと、第二の固定子リングに近接する位置に配置された第二のコレクタを提供するステップと、第一固定子、第二の固定子、第一のコレクタ及び第二のコレクタを通って流れる磁束を感知するステップとを更に含む。
【０００７】
［０００７］  本発明のその他の局面は、詳細な説明及び添付図面を参照することにより、明らかになるであろう。
【図面の簡単な説明】
【０００８】
【図１】入力シャフト及び出力シャフトと結合にされた本発明の１つの実施の形態に従ったセンサの斜視図である。
【図２】図２Ａは、図１のセンサの磁石の斜視図である。図２Ｂは、図２Ａの磁石の正面図である。
【図３】図３Ａは、図１のセンサの磁石、第一の固定子及び第二の固定子の頂面斜視図である。図３Ｂは、図１のセンサの磁石、第一の固定子及び第二の固定子の底面斜視図である。図３Ｃは、図１のセンサの磁石、第一の固定子及び第二の固定子の正面図である。
【図４】図１のセンサの制御システムのブロック図である。
【図５】角度変位しているときの図１のセンサの磁石、第一の固定子及び第二の固定子の頂面斜視図である。
【図６】図１のセンサの断面図である。
【発明を実施するための形態】
【０００９】
［００１７］  本発明の第一の実施の形態に関して詳細に説明する前に、本発明は、以下の説明に記載し又は添付図面に示した構成要素の構造及び配置にのみその適用が制限されるものではないことを理解すべきである。本発明は、別の実施の形態が可能であり、又は、各種の態様にて実施することができる。
【００１０】
［００１８］  図１には、入力シャフト１０５と、出力シャフト１１０との間のトルク角度を測定する一例としてのセンサ１００が示されている。該センサ１００は、磁石１１５と、第一の固定子１２０と、第二の固定子１２５と、第一のコレクタ１３０と、第二のコレクタ１３５とを含む。磁石１１５は、入力シャフト１０５と結合される一方、第一の固定子１２０及び第二の固定子１２５は、出力シャフト１１０と結合されている。入力シャフト１０５及び出力シャフト１１０は、トーションバー（図示せず）を介して接続されている。該トーションバーは、所定の又は既知の大きさの捩れ剛性、すなわち捩ればね定数を有している。入力シャフト１０５の出力シャフト１１０に対する回転動作は、加わるトルクに比例する、出力シャフト１１０と入力シャフト１０５との間の相対的な角度変位を生じさせる。
【００１１】
［００１９］  図２Ａ及び図２Ｂには、磁石１１５の１つの実施の形態が示されている。該磁石１１５は、磁石１１５の軸方向面上に交番的な複数のＮ極とＳ極を有する多極リング形磁石である。該磁石１１５は、頂部分１４０と、底部分１４５と、内側部分１５０と、外側部分１５５とを含む。図示した実施の形態において、磁石１１５は、軸方向磁束（すなわち、Ｎ極からＳ極へ軸方向に流れる磁束）を有し、軸方向に磁化される。別の実施の形態において、該磁石１１５は、軸方向にのみ磁化されず、底部分１４５上にＮ極及びＳ極を含む。
【００１２】
［００２０］  図３Ａ、図３Ｂおよび図３Ｃには、センサ１００の磁石１１５、第一の固定子１２０、第二の固定子１２５が図示されている。図示したように、該磁石１１５の外側部分１５５は、第一の固定子１２０により取り囲み又は包むことができる。第一の固定子１２０は、第一のリング部分すなわち第一の水平方向リング部分１６０と、複数の第一の歯１６５とを含む。第一の歯１６５は、該第一の歯１６５の少なくとも一部分が磁石１１５の底部分１４５に近接するように仕方にて第一の水平方向リング部分１６０から伸びている。近接するという語句は、構成要素が直接、接触はしていないが、構成要素が磁石から磁束を受け取ることができるのに十分に近くの距離にあることを意味すると定義することができる。例えば、１つの実施の形態において、第一の歯１６５は、磁石１１５の底部分１４５から約０．２ｍｍから２．０ｍｍの位置にあり、第一の歯１６５は、磁石１１５から磁束を受け取ることができる。該第一の歯１６５は、該第一の歯の一部分が第一の平面上にある一方、第一の水平方向リング部分１６０は、第二の平面上にあり、該第一の平面は、第二の平面と異なるような仕方にて第一の水平方向リング部分１６０から伸びている。図示した実施の形態において、第一の歯１６５は、角状部分１７０と、水平方向部分１７５とを含む。かかる実施の形態において、水平方向部分１７５は、第一の平面上にある一方、該第一の水平方向リング部分１６０は、第二の平面上にある。別の実施の形態において、第一の歯１６５は、角状部分が存在しないような流体的仕方にて第一の水平方向リング部分１６０から伸びている。
【００１３】
［００２１］  第二の固定子部分１２５は、磁石１１５及び第一の固定子１２０に近接する位置（たとえば、１つの実施の形態において、約０．２ｍｍから２．０ｍｍの距離）に配置されている。図示したように、第二の固定子１２５は、磁石１１５の外側部分１５５を取り囲み又は包むことができる。第二の固定子１２５は、第二のリング部分又は第二の水平方向リング部分１８０と、複数の第二の歯１８５とを含む。該複数の第二の歯１８５は、第二の水平方向リング部分１８０から伸び、かつ同様に磁石１１５の底部分１４５に近接する位置（たとえば、１つの実施の形態において、約０．２ｍｍから２．０ｍｍの距離）に配置されている。図示した実施の形態において、複数の第二の歯１８５は、該第二の歯１８５及び第二の水平方向リング部分１８０が実質的に同一の平面（すなわち、第三の平面）上にあるような仕方にて第二の水平方向リング部分１８０から伸びている。一部の実施の形態において、該第三の平面は、第一の平面と実質的に等しい。別の実施の形態において、複数の第二の歯１８５は、第二の歯１８５の一部分及び第二の水平方向リング部分１８０が異なる平面上にあるような仕方にて第二の水平方向リング部分１８０から伸びている。かかる実施の形態において、第二の歯１８５の該部分は、第一の歯１６５の部分と同一の平面上にあるようにしてもよい。
【００１４】
［００２２］  更に、図３Ａ−３Ｃに示したように、正味零トルクの場合、磁石１１５の複数の分離線１８７は、第一の歯１６５及び第二の歯１８５の中心線と回転整合されている。該分離線１８７は、磁石１１５のＮ極及びＳ極を分離する。
【００１５】
［００２３］図１に示したように、第一のコレクタ１３０及び第二のコレクタ１３５は、第一の水平方向リング部分１８０の一部分及び第二の水平方向リング部分１８０の一部分に近接する位置（たとえば、１つの実施の形態において、約０．２ｍｍから２．０ｍｍの距離）に配置されている。図示した実施の形態において、第一のコレクタ１３０は、第一の水平方向リング部分１６０の一部分の下方に配置され、また、第二のコレクタ１３５は、第二の水平方向リング部分１８０の一部分の上方に配置されている。このように、第一のコレクタ１３０及び第二のコレクタ１３５は、第一の水平方向リング部分１６０の一部分と、第二の水平方向リング部分１８０の一部分との間に配置されている。その他の実施の形態において、第一のコレクタ１３０は、第一の水平方向リング部分１６０の一部分の上方に配置され、また、第二のコレクタ１３５は、第二の水平方向リング部分１８０の一部分の下方に配置されている。
【００１６】
［００２４］  第一のコレクタ１３０及び第二のコレクタ１３５は、センサ１００を通って移動する磁束を集める。第一のコレクタ１３０及び第二のコレクタ１３５は、第一の磁気センサ１９０及び第二の磁気センサ１９５と磁気的に結合されている（図４）。磁気的に結合されるという語句は、第一の構成要素が第二の構成要素と磁気的に連絡しており、第一の構成要素は、第二の構成要素から磁束を受け取り、また、その逆に第二の構成要素が第一の構成要素から磁束を受け取ることが可能であることを意味する。一部の実施の形態において、第一の構成要素は、第二の構成要素から０．２ｍｍから２．０ｍｍの距離にある。第一及び第二の磁気センサ１９０、１９５は、第一のコレクタ１３０及び第二のコレクタ１３５の間、又はこれらのコレクタの近くにて磁束を検出する磁気感知要素である。一部の実施の形態において、第一の及び第二の磁気センサ１９０、１９５は、ホール効果センサである。
【００１７】
［００２５］  図４には、制御システム２００が示されている。該システム２００は、メモリ２１０と、プロセッサ２１５とを有するコントローラ２０５を含む。該コントローラ２０５は、第一の磁気センサ１９０及び第二の磁気センサ１９５と電気的に接続されている。該コントローラ２０５は、磁束の大きさ及び／または極性を含むことができる、磁束に関するデータを磁気感知要素から受け取り、アナログ又はデジタル信号を出力する。一部の実施の形態において、アナログ又はデジタルデータ信号は、磁束の変化に関するものである。図示したように、一部の実施の形態において、該コントローラ２０５は、入力／出力（Ｉ／Ｏ）インターフェース２２０及び電源２２５と更に電気的に接続されている。一部の実施の形態において、該コントローラ２０５は、部分的に又は全体的に半導体チップ上にて具体化されている。
【００１８】
［００２６］  メモリ２１０は、例えば、プログラムの記憶領域及びデータ記憶領域を含む。該プログラム記憶領域及びデータ記憶領域は、読み取り専用メモリ（「ＲＯＭ」）、ランダムアクセスメモリ（「ＲＡＭ」）、（例えば、ダイナミックＲＡＭ（「ＤＲＡＭ」）、シンクロＤＲＡＭ（「ＳＤＲＡＭ」等）、電気的に消去可能なプログラマブルな読み取り専用メモリ（「ＥＥＰＲＯＭ」）、フラッシュメモリ、ハードディスク、ＳＤカード、又はその他の適当な磁気式、光学式、物理的又は電子的メモリ装置のような異なる型式のメモリの組み合わせを含むことができる。プロセッサ２１５は、メモリ２１０と接続され、かつソフトウェアの指令を実行する。センサ１００及び／またはコントローラ２０５の具体化に含まれるソフトウェアは、コントローラ２０５のメモリ２１０に記憶することができる。該ソフトウェアは、例えば、ファームウェア、一つ又は複数のアプリケーション、プログラムデータ、フィルタ、ルール、１つ又は複数のプログラムモジュール及びその他の実行可能な指令を含む。コントローラ２０５は、特に、制御プロセス及びプロセスに記述された方法に関連した指令をメモリ２１０から検索し、かつ該指令を実行する形態とされている。その他の構造において、コントローラ２０５は、追加の、より少ない又は異なる構成要素を含む。
【００１９】
［００２７］  Ｉ／Ｏインターフェース２２０は、別のコントローラ又はコンピュータを含むが、これらにのみ限定されない周辺装置にコントローラ２０５を接続する形態とされている。Ｉ／Ｏインターフェース２２０は、線接続、無線接続又は線接続又は無線接続の組み合わせとすることができる。一部の実施の形態において、Ｉ／Ｏインターフェース２２０は、センサ１００と関係した測定データを伝達する形態とされている。一部の実施の形態において、該Ｉ／Ｏインターフェース２２０を使用してコントローラ２０５をユーザインターフェースに電気的に接続する。電源２２５は、公称電圧をコントローラ２０５に及びセンサ１００のその他の構成要素に供給する。一部の実施の形態において、電源２２５は、第一の電圧（たとえば、電池から）により作動され、かつ公称電圧をコントローラ２０５に、及びセンサ１００のその他の構成要素に提供する。
【００２０】
［００２８］  作動時、トルクがシステムに加えられたとき、トーションバー（図示せず）は、入力シャフト１０５と出力シャフト１１０との間の相対的な角度変位を調節する。入力シャフト１０５と出力シャフト１１０とのこの相対的な角度変位は、磁石１１５（入力シャフト１０５と結合されている）と、第一及び第二の固定子１２０、１２５（出力シャフト１１０に結合されている）との間の角度変位に等しい。システムの零位置は、システムに加えられるトルクが零又は全く存在しない位置、及び磁石１１５と第一及び第二の固定子１２０、１２５（図３Ａ−３Ｃ）との間の偏移が零となる位置である。零位置において、磁石１１５と第一及び第二の固定子１２０、１２５は、正味零磁束又は正味零の軸方向磁束を生じさせる。
【００２１】
［００２９］  図５に示したように、システムにトルクが加わったとき、磁石１１５と第一及び第二の固定子１２０、１２５との間に角度変位がある。磁石１１５と、第一及び第二の固定子１２０、１２５との間の角度変位の結果、第一の歯１６５と第二の歯１８５との中心線が複数の分離線１８７と回転整合しないこととなる。このため、磁束の変化（たとえば、磁束の大きさ及び（または）極性の変化）が生ずる。角度変位が大きければ大きいほど、磁束は増大する。第一の回転方向への第一の角度変位の結果、第一の方向への第一の磁束となる一方にて、第二の回転方向への第二の角度変位の結果、第一の方向と反対の第二の方向への第二の磁束となる。
【００２２】
［００３０］  図６は、センサ１００の図であり、この図にて、複数の第一の歯１６５の１つ及び複数の第二の歯１８５の一つを見ることができる。第一の方向へ第一の角度変位する間、第一の磁束３００は、磁石のＮ極から複数の第一の歯１６５を通って第一の固定子１２０の第一の水平方向リング部分１６０まで流れる。次に、第一の磁束は、第一のコレクタ１３０及び第二のコレクタ１３５を通って第二の固定子１２５の第二の水平方向リング部分１８０まで流れる。次に、第一の磁束は、第二の固定子１２５の複数の第二の歯１８５及び磁石の１１５のＳ極まで流れる。
【００２３】
［００３１］  第二の方向へ第二の角度変位する間、第二の磁束は、第一の磁束と反対の方向に流れる。次に、第二の磁束は、磁石１１５のＮ極から複数の第二の歯１８５を通って第二の固定子１２５の第二の水平方向リング部分１８０まで流れる。次に、第二の磁束は、第二のコレクタ１３５及び第一のコレクタ１３０を通って第一の固定子１２０の第一の水平方向リング部分１６０まで流れる。次に、第二の磁束は、第一の固定子１２０の複数の第一の歯１６５及び磁石１１５のＳ極まで流れる。
【００２４】
［００３２］  このように、本発明は、特に、トルク角度を測定するセンサを提供するものである。本発明の各種の特徴及び有利な点は、次の請求項に記載されている。以下は、本願出願当初の発明の各種形態である。
（形態１）  トルク角度を測定するセンサにおいて、
磁石と、
第一の固定子であって、
第一の平面上に配置された第一の水平方向リング部分と、
該第一の水平方向リング部分から伸び、かつ第二の平面上に配置された複数の第一の歯とを含む、前記第一の固定子と、
第二の固定子であって、
第二の平面上に配置された第二の水平方向リング部分と、
該第二の水平方向リング部分から伸び、かつ第二の平面上に配置された複数の第二の歯とを含む、前記第二の固定子と、
前記第一の水平方向リング部分に近接する位置に配置された第一のコレクタと、
前記第二の水平方向リング部分に近接する位置に配置された第二のコレクタと、
前記第一のコレクタ及び第二のコレクタと磁気的に結合された磁気感知要素とを備える、トルク角度を測定するセンサ。
（形態２）  形態１に記載のセンサにおいて、
前記磁気感知要素は、第一のコレクタ及び第二のコレクタを通って流れる磁束を感知する、センサ。
（形態３）  形態１に記載のセンサにおいて、
前記複数の第一の歯及び前記複数の第二の歯における歯の数は、磁石の極数に依存する、センサ。
（形態４）  形態１に記載のセンサにおいて、
前記磁石と前記第一の固定子及び前記第二の固定子との間の第一の角度変位の結果、第一の磁束となり、
また、前記磁石と前記第一の固定子及び前記第二の固定子との間の第二の角度変位の結果、第二の磁束となる、センサ。
（形態５）  形態４に記載のセンサにおいて、
前記第一の角度変位は、前記第二の角度変位と反対方向である、センサ。
（形態６）  形態４に記載のセンサにおいて、
第一の磁束は、磁石から複数の第一の歯、第一の水平方向リング部分、第一のコレクタ、第二のコレクタ、第二の水平方向リング部分、複数の第二の歯を通って流れて、磁石に戻る、センサ。
（形態７）  形態５に記載のセンサにおいて、
第二の磁束は、磁石から複数の第二の歯、第二の水平方向リング部分、第二のコレクタ、第一のコレクタ、第一の水平方向リング部分、複数の第一の歯を通って流れて、磁石に戻る、センサ。
（形態８）  形態１に記載のセンサにおいて、
零角度変位の結果、零磁束となる、センサ。
（形態９）  形態１に記載のセンサにおいて、
前記磁石は、軸方向磁束を有する、センサ。
（形態１０）  操舵シャフトのトルクを測定するセンサにおいて、
頂部分と、底部分と、外側部分とを有するリング磁石と、
第一の固定子であって、
前記リング磁石の外側部分を包む第一の水平方向リングと、
該第一の水平方向リング部分から伸び、かつ前記リング磁石の底部分に近接する複数の第一の歯とを含む、前記第一の固定子と、
第二の固定子であって、
前記リング磁石の外側部分を包む第二の水平方向リング部分と、
該第二の水平方向リング部分から伸び、かつ前記リング磁石の底部分に近接する複数の第二の歯とを含む、前記第二の固定子と、
前記第一の水平方向リング部分に近接する位置に配置された第一のコレクタと、
前記第二の水平方向リング部分に近接する位置に配置された第二のコレクタと、
前記第一のコレクタ及び前記第二のコレクタと磁気的に結合された磁気感知要素とを備える、操舵シャフトのトルクを測定するセンサ。
（形態１１）  形態１０に記載のセンサにおいて、
前記複数の第一の歯及び前記複数の第二の歯は、前記リング磁石の底部分から約０．２ｍｍから２．０ｍｍの位置に配置される、センサ。
（形態１２）  形態１０に記載のセンサにおいて、
前記複数の第一の歯及び前記複数の第二の歯における歯の数は、磁石の極数に依存する、センサ。
（形態１３）  形態１０に記載のセンサにおいて、
前記磁石と前記第一の固定子及び前記第二の固定子との間の第一の角度変位の結果、第一の磁束となり、
また、前記磁石と前記第一の固定子及び前記第二の固定子との間の第二の角度変位の結果、第二の磁束となる、センサ。
（形態１４）  形態１３に記載のセンサにおいて、
前記第一の角度変位は、前記第二の角度変位と反対方向である、センサ
（形態１５）  形態１３に記載のセンサにおいて、前記第一の磁束は、リング磁石から複数の第一の歯、第一の水平方向リング部分、第一のコレクタ、第二のコレクタ、第二の水平方向リング部分及び複数の第二の歯を通って流れて、前記リング磁石に戻る、センサ。
（形態１６）  形態１４に記載のセンサにおいて、
前記第二の磁束は、リング磁石から複数の第二の歯、第二の水平方向リング部分、第二のコレクタ、第一のコレクタ、第一の水平方向リング部分及び複数の第一の歯を通って流れて、前記リング磁石に戻る、センサ。
（形態１７）  形態１０に記載のセンサにおいて、
零角度変位の結果、零磁束となる、センサ。
（形態１８）  形態１０に記載のセンサにおいて、
前記リング磁石は、軸方向磁束を有する、センサ。
（形態１９）  操舵シャフトのトルクを測定する方法において、
軸方向磁束と、外側部分と、底部分とを有するリング磁石を提供するステップと、
第一の固定子であって、
前記リング磁石の外側部分を取り囲む第一の固定子リングと、
該第一の固定子リングから伸び、かつ前記リング磁石の底部分に近接する複数の第一の歯とを含む、前記第一の固定子を提供するステップと、
第二の固定子であって、
前記リング磁石の外側部分を取り囲む第二の固定子リングと、
該第二の固定子リングから伸び、かつ前記リング磁石の底部分に近接する複数の第二の歯とを含む、前記第二の固定子を提供するステップと、
前記第一の固定子リングに近接する位置に配置された第一のコレクタを提供するステップと、
前記第二の固定子リングに近接する位置に配置された第二のコレクタを提供するステップと、
前記第一の固定子、前記第二の固定子、第一のコレクタ及び前記第二のコレクタを通って流れる軸方向磁束を感知するステップとを備える、操舵シャフトのトルクを測定する方法。
（形態２０）  形態１９に記載の方法において、
前記リング磁石と前記第一の固定子及び前記第二の固定子との間の零角度変位の結果、零軸方向磁束となる、方法。
【図１】
0006676041.tif 000002
【図２Ａ】
0006676041.tif 000003
【図２Ｂ】
0006676041.tif 000004
【図３Ａ】
0006676041.tif 000005
【図３Ｂ】
0006676041.tif 000006
【図３Ｃ】
0006676041.tif 000007
【図４】
0006676041.tif 000008
【図５】
0006676041.tif 000009
【図６】
0006676041.tif 000010